(57)【特許請求の範囲】
【請求項１】
ランダムアクセス可能な記録媒体を有し、入力された番組を該記録媒体に記録し、記録した番組の再生を行う記録再生装置において、
記録した番組のジャンル情報を取得し、該記録した番組と対応づけて記憶する記録済番組管理手段と、
前記記録した番組に与える優先度を、該番組の視聴回数に基づいて決定する第１優先度決定手段と、
前記記録した番組に与える優先度を、該番組の記録された日時に基づいて決定する第２優先度決定手段と、
前記記録した番組のジャンル情報に基づいて、前記第１優先度決定手段あるいは前記第２優先度決定手段のいずれかを選択する選択手段と、
前記選択手段によって選択された前記第１優先度決定手段又は前記第２優先度決定手段で与えられた優先度が低い番組ほど、高い圧縮率で記録する圧縮率変更手段と、
を有することを特徴とする記録再生装置。
【請求項２】
前記選択手段よって選択された前記第１優先度決定手段あるいは前記第２優先度決定手段のいずれかによって与えられた優先度が最も低い番組を消去する番組消去手段を有することを特徴とする請求項１に記載の記録再生装置。
【請求項３】
前記記録媒体に記録された番組の消去を指示するための操作部を有し、
前記操作部が操作されることによって、前記操作部の操作に応じて消去される番組が指定され、該指定された番組が前記操作部が操作されるまで自動的に消去されないことを特徴とする請求項２に記載の記録再生装置。
【発明の詳細な説明】
【０００１】
【発明の属する技術分野】
本発明は、デジタル放送をランダムアクセス可能なメディアを用いて記録・再生を行う装置に関する。
【０００２】
【従来の技術】
近年、デジタル放送の普及に伴い、録画用の記録媒体が、テープなどの記録媒体からハードディスクなどのランダムアクセス可能な記録媒体に移りゆく傾向にある。このようなランダムアクセス可能な記録媒体によると、その記録媒体内の録画内容の管理が容易になる。又、このような録画内容の管理は、ＶＴＲ（Video Tape Recorder）において、既に適用され、このような管理システムを有するＶＴＲが、特開平９−９１９２７号公報などで提案されている。
【０００３】
【発明が解決しようとする課題】
特開平９−９１９２７号公報におけるＶＴＲでは、録画領域に対応するテープ内容記憶手段を有し、テープのどの位置に格納されているかの情報と消去可・消去不可情報を、このテープ内容記憶手段に記憶するといったものである。しかしながら、このような方法では、消去可・消去不可情報のみでテープに記録された情報の管理を行うため、消去可と指示された番組が全て同列に扱われてしまう。よって、その消去時に使用者にとって最も不要の番組が消去されるわけではない。
【０００４】
上記のような問題を鑑みて、本発明は、使用者にとって最も不要な番組から順に消去することができる記録再生装置を提供することを目的とする。又、本発明は、使用者にとってその優先度の低い番組から順に圧縮率を上げて、記録媒体内の占有率を小さくしていく記録再生装置を提供することを目的とする。
【０００５】
【課題を解決するための手段】
上記の目的を達成するために、請求項１に記載の記録再生装置は、ランダムアクセス可能な記録媒体を有し、入力された番組を該記録媒体に記録し、記録した番組の再生を行う記録再生装置において、
記録した番組のジャンル情報を取得し、該記録した番組と対応づけて記憶する記録済番組管理手段と、
前記記録した番組に与える優先度を、該番組の視聴回数に基づいて決定する第１優先度決定手段と、
前記記録した番組に与える優先度を、該番組の記録された日時に基づいて決定する第２優先度決定手段と、
前記記録した番組のジャンル情報に基づいて、前記第１優先度決定手段あるいは前記第２優先度決定手段のいずれかを選択する選択手段と、
前記選択手段によって選択された前記第１優先度決定手段又は前記第２優先度決定手段で与えられた優先度が低い番組ほど、高い圧縮率で記録する圧縮率変更手段と、
を有することを特徴とする。
【０００６】
このような記録再生装置において、ハードディスクのようにランダムアクセス可能な記録媒体に、受信された番組をデジタルデータとして記録し、その番組のジャンルによって、優先度決定手段を選択するようにする。例えば、ニュースや天気予報のように現在の情報ほど重要な番組は第２優先度決定手段で優先度を与え、又、ドラマやバラエティ番組などは第１優先度決定手段でその視聴回数で優先度を与えることができる。
第１優先度決定手段によって、その番組を視聴する毎に優先度を下げ、圧縮率変更手段でその優先度に応じてこの番組の圧縮率を高くし、その記録領域の占有率を小さくする。
また、第２優先度決定手段によって、番組が記録された日時と現在の日時を比較して、その記録された日時が古いものほどその優先度を下げ、圧縮率変更手段でその優先度に応じてこの番組の圧縮率を高くし、その記録領域の占有率を小さくする。
これらの第１優先度決定手段あるいは第２優先度決定手段のうち、選択された優先度決定手段によって決定された優先度に応じて、このデジタルデータを記録する際の圧縮率を変更する。このようにして、記録媒体の記録領域を有効に利用して、より多くの番組を記録することができる。
【０００７】
又、請求項２に記載の記録再生装置は、請求項１に記載の記録再生装置であって、前記選択手段よって選択された前記第１優先度決定手段あるいは前記第２優先度決定手段のいずれかによって与えられた優先度が最も低い番組を消去する番組消去手段を有することを特徴とする。
【０００８】
請求項１に記載の記録再生装置において、請求項２に記載するように、前記優先度決定手段によって与えられた優先度が最も低い番組を消去する番組消去手段を設けて、前記記録媒体の記録領域全てに番組が記録された状態になったとき、優先度の最も低い番組を自動的に消去して新たに記録可能な記録領域を確保することができる。
【０００９】
又、請求項３に記載の記録再生装置は、請求項２に記載の記録再生装置であって、前記記録媒体に記録された番組の消去を指示するための操作部を有し、前記操作部が操作されることによって、前記操作部の操作に応じて消去される番組が指定され、該指定された番組が前記操作部が操作されるまで自動的に消去されないことを特徴とする。
【００１０】
このような記録再生装置において、請求項３に記載するように、前記操作部が操作されることによって、前記操作部の操作に応じて消去される番組が指定されるようにすることで、使用者が前記操作部を操作したときに初めて消去され、このような操作が行われるまで、消去されないようにすることができる。よって、使用者が保存したい番組を、自動的に消去されないように指定することができる。
【００１７】
【発明の実施の形態】
本発明の実施形態について、図面を参照して説明する。図１は、本実施形態のデジタル放送記録再生装置の内部構造を示すブロック図である。又、図２は、図１のデジタル放送記録再生装置の記録媒体の管理動作を示すフローチャートである。
【００１８】
図１に示すデジタル放送記録再生装置１は、デジタル放送信号を受信するアンテナ２と、アンテナ２から送信される放送信号を復調するとともにこの放送信号を多重分離してユーザーが選択したチャンネルのＴＳ（Transport Stream）やＥＰＧ（Electronic Program Guide）を獲得するチューナ３と、チューナ３で得たＴＳを記録するハードディスクなどの記録媒体４と、記録媒体４より読み出したＴＳを復号する復号手段５と、この復号手段５で復号された信号によって映像を再生する表示装置６とを有する。
【００１９】
又、このデジタル放送記録再生装置１は、使用者が操作する操作手段７と、記録媒体４に記録された番組を管理する記録済番組管理手段８と、記録媒体４に記録された番組の優先度を更新する優先度更新手段９と、記録媒体４に記録された番組の優先度に応じて記録する圧縮率を変更する圧縮率変更手段１０と、チューナ３より送出されるＥＰＧより記録媒体４に記録した番組の番組ジャンルを認識する番組ジャンル取得手段１１と、記録媒体４に記録した番組の視聴履歴を記録する視聴履歴保存手段１２と、記録媒体４に記録した番組の記録開始時刻を保存する記録時刻保存手段１３と、現在時刻を認識する現在時刻取得手段１４とを有する。
【００２０】
尚、図１には図示していないが、操作手段７によって記録、再生の操作が行われると、中央制御部などによって、記録媒体４への受信した番組の記録、再生が行われる。
【００２１】
＜デジタル放送記録再生装置の記録動作＞
このような構成のデジタル放送記録再生装置１の記録動作について、以下に説明する。まず、操作手段７によって記録するように操作されると、チューナ３によって選択されたチャンネルの番組を記録するように、デジタル放送記録再生装置１が制御される。このとき、チューナ３で得たＴＳが記録媒体４の記録可能領域に書き込まれる。そして、記録済番組管理手段８によって、新しく番組が記録されたことが認識され、この新しく記録された番組に番号が付されて、記録済番組管理手段８に記憶される。更に、このとき、この新しく記録された番組の優先度を最も高いものとし、その優先度もともに記録済番組管理手段８に記憶される。
【００２２】
又、番組ジャンル取得手段１１では、チューナ３で獲得された定期的に送信されるＥＰＧを記憶する。尚、番組ジャンル取得手段１１に記憶されるＥＰＧは、送信されるたびに更新される。そして、上記したように新しく番組が記録媒体４に記録されるとき、その番組のＴＳに設けられたデータがチューナ３より番組ジャンル取得手段１１に与えられ、このＴＳに設けられたデータに基づいて記憶したＥＰＧよりその番組の番組ジャンルが番組ジャンル取得手段１１で認識される。このように認識された番組ジャンルが記録済番組管理手段８に送出され、番号を付された番組とともにその番組ジャンルが、記録済番組管理手段８に記憶される。
【００２３】
更に、このとき、現在時刻取得手段１４よりその日の日付と記録開始時刻を記録時刻保存手段１３が認識し、その日付と記録開始時刻が記憶される。尚、本実施形態では、記録開始時刻を現在時刻取得手段１４より認識するようにしたが、チューナ３より与えられるＴＳに設けられたデータよりその放送時刻を認識し、この放送時刻よりその日の日付と記録開始時刻を決定するようにしても構わない。
【００２４】
上記のように、番組を新しく記録する際、記録済番組管理手段８でその番組に番号を付すとともに、その優先度を最も高い優先度とし、この優先度と番組ジャンル取得手段１１によって得られる番組ジャンルとを記録済番組管理手段８で記憶する。同時に、記録開始時刻を記録時刻保存手段１３で認識して、その記録開始時刻を記録時刻保存手段１３に記憶する。このようにして記録動作を行うように操作手段７で操作する際、自動的にその番組の優先度が更新されないようにする場合は、予め、使用者が操作手段７を操作して指定する。
【００２５】
＜記録済番組の管理動作＞
次に、デジタル放送記録再生装置１の記録済番組の管理動作について、図２のフローチャートを参照して説明する。まず、優先度更新時において、記録媒体４に記録された各番組が、自動的に優先度が更新されないように指定されているか否かが判定される（ＳＴＥＰ１）。このとき、指定されているとき（Ｙｅｓ）、ＳＴＥＰ１８に移行し、指定されていないとき（Ｎｏ）、ＳＴＥＰ２に移行する。
【００２６】
ＳＴＥＰ２に移行すると、まず、その番組の番組ジャンルが、記録済番組管理手段８より、その番組の優先度とともに、その番組の番組ジャンルが優先度更新手段９に与えられ、その番組の番組ジャンルが認識される。そして、この認識された番組ジャンルが、連続ドラマ又はバラエティ番組であるか否かが判定される（ＳＴＥＰ３）。このとき、この番組の番組ジャンルが、連続ドラマ又はバラエティ番組であるとき（Ｙｅｓ）、ＳＴＥＰ４に移行し、連続ドラマ又はバラエティ番組でないとき（Ｎｏ）、ＳＴＥＰ９に移行する。
【００２７】
次に、ＳＴＥＰ４に移行すると、優先度更新手段９において、この番組が視聴済か否かが、視聴履歴保存手段１２に記憶した視聴履歴より検知され、視聴済であるとき（Ｙｅｓ）、ＳＴＥＰ５に移行し、又、一度も視聴されていないとき（Ｎｏ）、ＳＴＥＰ７に移行する。尚、この視聴履歴保存手段１２に記憶される視聴履歴は、一度も視聴されていない状態（第１状態）と、前回の優先度更新後視聴された状態（第２状態）と、前回の優先度更新後視聴されていない状態（第３状態）の３状態で、各番組毎に記憶される。よって、ＳＴＥＰ４において、第１状態のとき、ＳＴＥＰ７に移行し、残りの第２状態、第３状態のとき、ＳＴＥＰ５に移行する。
【００２８】
ＳＴＥＰ４よりＳＴＥＰ５に移行すると、優先度更新手段９において、前回優先度が更新されてからその番組が視聴されたか否かが、視聴履歴保存手段１２に記憶した視聴履歴より検知され、視聴された第２状態のとき（Ｙｅｓ）、ＳＴＥＰ６に移行し、視聴されていない第３状態のとき（Ｎｏ）、ＳＴＥＰ１８に移行する。そして、このとき、ＳＴＥＰ６に移行すると、優先度更新手段９に与えられた優先度を下げ、ＳＴＥＰ１８に移行する。
【００２９】
又、ＳＴＥＰ４において、視聴履歴保存手段１２に記憶した視聴履歴より第１状態であると優先度更新手段９で検知されたとき、その番組が記録されてから所定の日数以上経過したか否かが、優先度更新手段９で判断される（ＳＴＥＰ７）。このとき、記録時刻保存手段１３で記憶した記録日の日付及び記録開始時刻と現在時刻取得手段６より与えられる現在の日付及び現在時刻とが、優先度更新手段９で比較されることによって判断される。そして、所定の日数以上経過したと判断されたとき（Ｙｅｓ）、ＳＴＥＰ８に移行してその番組の優先度が優先度更新手段９で下げられた後ＳＴＥＰ１８に移行し、又、所定の日数経過していないと判断されたとき（Ｎｏ）、ＳＴＥＰ１８に移行する。
【００３０】
又、ＳＴＥＰ３よりＳＴＥＰ９に移行すると、このＳＴＥＰ９では、ＳＴＥＰ２で認識された番組ジャンルが、スポーツ番組又はニュース又は天気予報であるか否かが判定される。このとき、この番組の番組ジャンルが、スポーツ番組又はニュース又は天気予報であるとき（Ｙｅｓ）、ＳＴＥＰ１０に移行し、スポーツ番組又はニュース又は天気予報でないとき（Ｎｏ）、ＳＴＥＰ１４に移行する。
【００３１】
そして、ＳＴＥＰ１０に移行すると、優先度更新手段９において、記録時刻保存手段１３で記憶した記録日の日付及び記録開始時刻と現在時刻取得手段６より与えられる現在の日付及び現在時刻とが比較され、その番組が記録されてから所定の日数以上経過したか否かが判定される。このとき、番組が記録されてから所定の日数以上経過しているとき（Ｙｅｓ）、ＳＴＥＰ１１に移行し、番組が記録されてから所定の日数が経過していないとき（Ｎｏ）、ＳＴＥＰ１２に移行する。
【００３２】
このようにＳＴＥＰ１０で判定されて、ＳＴＥＰ１１に移行すると、優先度更新手段９に与えられた優先度を下げ、ＳＴＥＰ１８に移行する。又、逆に、ＳＴＥＰ１２に移行すると、視聴履歴保存手段１２に記憶した視聴履歴よりその番組が視聴されたか否かが、第１状態であるか否かによって、優先度更新手段９で判断される。このとき、既に視聴済であるとき（Ｙｅｓ）、ＳＴＥＰ１３に移行してその番組の優先度が優先度更新手段９で下げられた後ＳＴＥＰ１８に移行し、又、未だ視聴されていないとき（Ｎｏ）、ＳＴＥＰ１８に移行する。
【００３３】
又、ＳＴＥＰ９よりＳＴＥＰ１４に移行すると、その番組が操作手段７によって消去されるように指示があったか否かが優先度更新手段９で記録済番組管理手段８に記憶される情報より判断される。尚、消去されるように指示があった場合、記録済番組管理手段８において、その番組の番号とともに指示があったことが記憶され、又、自動的に優先度が更新されないように指定されている番組については、自動的に優先度が更新されるように、その指定を解除する。
【００３４】
ＳＴＥＰ１４において、消去されるように指示があったことを優先度更新手段９が確認すると（Ｙｅｓ）、ＳＴＥＰ１５に移行して優先度を最低の値にした後ＳＴＥＰ１８に移行し、又、消去されるように指示がなかったとき（Ｎｏ）、ＳＴＥＰ１６に移行し、その番組が記録されてから所定の日数が経過したか否かが判断される。ＳＴＥＰ１６で、所定の日数以上経過したと判断されたとき（Ｙｅｓ）、ＳＴＥＰ１７に移行してその番組の優先度が優先度更新手段９で下げられた後ＳＴＥＰ１８に移行し、又、所定の日数経過していないと判断されたとき（Ｎｏ）、ＳＴＥＰ１８に移行する。
【００３５】
又、ＳＴＥＰ１８に移行すると、その番組の更新された優先度が最低の値であるか否かが判断され、更新された優先度が最低の値であるとき（Ｙｅｓ）、ＳＴＥＰ１９に移行し、その番組が記録媒体４より消去されるとともに、記録済番組管理手段８に記憶したその番組の番号、番組ジャンル及び優先度が消去される。又、更新された優先度が最低の値でないとき、ＳＴＥＰ２０に移行して、その優先度が記録済番組管理手段８によって記憶され、この優先度に応じて記録する番組の圧縮率を圧縮率変更手段１０で変更する。そして、このとき、この変更された圧縮率に応じて、処理された番組が記録媒体４に記憶される。尚、このとき、優先度が低いほど圧縮率が高くなる。
【００３６】
このように１つの番組について、優先度更新を行うとともに、その記録媒体４で記録する際の圧縮率の更新を行うと、別の番組について、再び、ＳＴＥＰ１〜ＳＴＥＰ２０の処理を行う。そして、記録媒体４に記録された全ての番組について、ＳＴＥＰ１〜ＳＴＥＰ２０の処理が行われると、上記した処理動作を終了する（ＳＴＥＰ２１）。即ち、ＳＴＥＰ１９又はＳＴＥＰ２０の処理が終了すると、ＳＴＥＰ２１に移行し、そして、ＳＴＥＰ２１で全ての番組について、上記のような処理が行われる（Ｙｅｓ）と、この管理動作が終了し（ＥＮＤ）、又、処理されていない番組がある場合（Ｎｏ）は、ＳＴＥＰ１に戻り、再度処理が行われる。
【００３７】
上記のような図２のフローチャートを実施したときの動作について、場合分けして、以下にまとめる。
【００３８】
（イ）優先度更新可能とする場合
（１）番組ジャンルがドラマ又はバラエティ番組の場合
（１−ａ）一度も視聴されていないとき（第１状態）
その番組が記録されてから所定の日数が経過したとき、優先度が下げられて更新され、その番組が記録される圧縮率が高くなる。又、記録されてから所定の日数が経過していないときは、優先度は更新されず、その番組が記録される圧縮率は変更されない。
【００３９】
（１−ｂ）前回の優先度更新後視聴されたとき（第２状態）
その優先度が下げられるとともに、その番組の記録される圧縮率が高くなる。又、（１−ａ）の場合と比べたとき、既に視聴された番組であるので記録する重要度が低いと考えられるので、（１−ａ）で所定の日数が経過したときに下げる優先度よりもその下げる割合を大きくするようにして、一度も視聴されていないものとの優先度の差を付けることができる。
【００４０】
（１−ｃ）前回の優先度更新後視聴されていないとき（第３状態）
その優先度は更新されず、その番組が記録される圧縮率も変更されない。
【００４１】
（２）番組ジャンルがスポーツ番組又はニュース又は天気予報の場合
このとき、（１）の場合の番組ジャンルと比べて日数が経過するほどその重要度が低くなるので、基準とする日数を、（１−ａ）で基準とする日数よりも短くすることによって、（１）の場合の番組ジャンルの番組の優先度の差を付けることができる。
【００４２】
（２−ａ）その番組が記録されてから所定の日数が経過していないとき
既に視聴されたとき、その優先度が下げられるとともに、その番組の記録される圧縮率が高くなる。又、一度も視聴されていないとき、優先度は更新されず、その番組が記録される圧縮率は変更されない。
【００４３】
（２−ｂ）その番組が記録されてから所定の日数が経過したとき
その優先度が下げられるとともに、その番組の記録される圧縮率が高くなる。このような番組ジャンルの番組は、記録されてから日数が経過するほど、その重要性が低くなるので、（２−ａ）で一度視聴されたときに下げる優先度よりもその下げる割合を大きくするようにして、所定の日数が経過していないものとの優先度の差を付けることができる。
【００４４】
（３）その他の番組ジャンルの場合
（３−ａ）番組の消去の指示があるとき
その優先度を最低の値とする。例えば、優先度が０〜１０の数値で表されるとき、優先度を０とする。そして、このように、優先度を最低の値とするとともに、記録媒体４に記録された番組を消去し、記録済番組管理手段８や視聴履歴保存手段１２や記録時刻保存手段１３に記憶したその番組の各種情報を消去する。
【００４５】
（３−ｂ）番組の消去の指示がないとき
その番組が記録されてから所定の日数が経過したとき、優先度が下げられて更新され、その番組が記録される圧縮率が高くなる。このとき、基準とする日数を、（１−ａ）で基準とする日数よりも長くするとともに、（１−ａ）で所定の日数が経過したときに下げる優先度よりもその下げる割合を大きくするようにして、（１−ａ）で所定の日数が経過した番組との優先度の差を付けることができる。このようにしたとき、連続ドラマやバラエティ番組のように定期的に放送される番組ジャンルよりも、その優先度を高くすることができる。又、記録されてから所定の日数が経過していないときは、優先度は更新されず、その番組が記録される圧縮率は変更されない。
【００４６】
（ロ）優先度更新不可とする場合
その優先度は更新されず、その番組が記録される圧縮率も変更されない。
【００４７】
尚、図２のフローチャートにおいて、ＳＴＥＰ１６で、その番組が視聴されたか否かによって、優先度を下げるか否かを決定するようにしても構わない。即ち、既に視聴したとき、ＳＴＥＰ１７に移行して優先度を下げ、又、一度も視聴されていないとき、ＳＴＥＰ１８に移行する。又、本発明のデジタル放送記録再生装置において、その記録済番組の管理動作は、図２のフローチャートによる動作は１例であり、このフローチャートによる動作に限定されるものではない。
【００４８】
又、図２のフローチャートのような管理動作は、毎日行うなど、一定期間毎に自動的に行うようにしても構わないし、使用者によって命令されて行うようにしても構わない。又、記録媒体の記録可能領域の占める割合が所定の値より小さくなったときに、図２のフローチャートのような管理動作が、自動的に行われるようにしても構わない。
【００４９】
【発明の効果】
本発明によると、記録媒体に記録される番組に与えられる優先度に応じて、圧縮率を変更して記録することができるので、使用者が再度視聴する可能性の低い番組の圧縮率を高くするなどして、記録媒体の記憶領域を効率的に利用することができる。又、番組の視聴回数によって、番組の優先度を決定することができるので、複数回視聴された番組のように、、再度視聴される可能性の低い番組の圧縮率を高くすることができる。又、番組の記録した日時によって、番組の優先度を決定することができるので、記録してから長い時間が経過した番組のように、再度視聴される可能性の低い番組の圧縮率を高くすることができる。
【００５０】
又、番組のジャンルに応じて、優先度を決定する基準を番組の視聴回数とするか、又は、番組の記録された日時とするか選択できる。よって、ドラマやバラエティ番組のように一度視聴したか否かによってその番組の記録する重要性が変化する番組と、ニュースや天気予報のように放送された日から時間が経つほどその重要性が低くなる番組とにおいて、優先度を決定する基準を変更することができる。
【００５１】
更に、優先度が最低となる番組を消去することができるので、再度視聴する可能性がかなり低い番組や視聴する可能性のない番組を記録媒体から消去して記録可能領域を広げることによって、この記録媒体の記憶領域を有効に利用することができる。
【図面の簡単な説明】
【図１】本発明のデジタル放送記録再生装置の内部構造を示すブロック図。
【図２】図１に示すデジタル舗装記録再生装置の記録済番組の管理動作を示すフローチャート。
【符号の説明】
１    デジタル放送記録再生装置
２    アンテナ
３    チューナ
４    記録媒体
５    復号手段
６    表示装置
７    操作手段
８    記録済番組管理手段
９    優先度更新手段
１０    圧縮率変更手段
１１    番組ジャンル取得手段
１２    視聴履歴保存手段
１３    記録時刻保存手段
１４    現在時刻取得手段
【図１】
0003913419.tif 000002
【図２】
0003913419.tif 000003